(57)【要約】【課題】  面白みが満ちているスイッチ機構、変形玩具を提供すること。【解決手段】  この発明は、制動部６により、胴部２の回動と甲羅部４の移動とを制動する。この発明は、甲羅部４が中位位置から第２軸Ｏ２回りに回動すると、制動部６の制動が解除されて、胴部２が回動しかつ甲羅部４が移動するものである。この結果、この発明は、２個の物（胴部２、甲羅部４）の２つの動作（回動、移動）の変化が同時に得られるので、１個の物（飛翔体）の１つの動作（飛翔）の変化しか得られない従来のものと比較して、面白みが満ちている。【選択図】  図１
2017221304.tif 000002
【特許請求の範囲】
【請求項１】
載置面上に載置される載置部と、
前記載置部に、前記載置面に対して平行もしくはほぼ平行な第１軸回りに回動可能に、取り付けられている第１可動部と、
前記第１可動部に、前記第１軸に対して垂直もしくはほぼ垂直な第２軸回りに回動可能にかつ前記第２軸方向に移動可能に、取り付けられているスイッチ部と兼用の第２可動部と、
前記第２可動部が前記第２軸回りの中位位置に位置するときには、前記第１可動部の前記第１軸回りの回動と前記第２可動部の前記第２軸方向の移動とを制動し、前記第２可動部が前記中位位置から前記第２軸回りに回動すると、制動が解除されて前記第１可動部が前記第１軸回りに回動しかつ前記第２可動部が前記第２軸方向に移動する制動部と、
を備える、ことを特徴とする玩具のスイッチ機構。
【請求項２】
前記第２可動部は、一方が緩やかな傾斜面からなり他方が急な傾斜面からなる１個以上の作動爪を有する、
ことを特徴とする請求項１に記載の玩具のスイッチ機構。
【請求項３】
載置面上に載置される載置部と、
前記載置部に、前記載置面に対して平行もしくはほぼ平行な第１軸回りに第１位置・第２位置間を回動可能に、取り付けられている第１可動部と、
前記第１可動部を前記第１位置から前記第２位置に付勢させる第１弾性部と、
前記第１可動部に、前記第１軸に対して垂直もしくはほぼ垂直な第２軸回りに回動可能に、かつ、前記第２軸方向に第１位置・第２位置間を移動可能に、取り付けられているスイッチ部と兼用の第２可動部と、
前記第２可動部を前記第２軸回りの中位位置に位置させかつ前記第１位置から前記第２位置に付勢させる第２弾性部と、
前記第２可動部が前記中位位置に位置するときには、前記第１位置に位置する前記第１可動部の前記第２位置への回動と、前記第１位置に位置する前記第２可動部の前記第２位置への移動と、をそれぞれ制動し、前記第２可動部が前記中位位置から前記第２軸回りに回動すると、制動が解除されて、前記第１可動部が前記第１位置から前記第２位置に回動変位し、かつ、前記第２可動部が前記第１位置から前記第２位置に移動変位する制動部と、
を備える、ことを特徴とする変形玩具。
【請求項４】
前記第１可動部に、前記第１軸に対して垂直もしくはほぼ垂直な第１補助軸方向に第１位置・第２位置間を移動可能に、取り付けられている第１補助可動部と、
前記第１補助可動部を前記第１位置から前記第２位置に付勢させる第１補助弾性部と、
前記第１可動部に、前記第１軸に対して垂直もしくはほぼ垂直な第２補助軸回りに第１位置・第２位置間を回動可能に、取り付けられている第２補助可動部と、
前記第２補助可動部を前記第１位置から前記第２位置に付勢させる第２補助弾性部と、
前記第１位置に位置する前記第１補助可動部の前記第２位置への移動と、前記第１位置に位置する前記第２補助可動部の前記第２位置への回動と、をそれぞれ制動し、前記第２可動部が前記第２軸方向に前記第１位置から前記第２位置に移動すると、制動が解除されて、前記第１補助可動部が前記第１位置から前記第２位置に移動変位し、かつ、前記第２補助可動部が前記第１位置から前記第２位置に回動変位する補助制動部と、
を備える、ことを特徴とする請求項３に記載の変形玩具。
【請求項５】
前記第２可動部は、一方が緩やかな傾斜面からなり他方が急な傾斜面からなる１個以上の作動爪を有する、
ことを特徴とする請求項３または４に記載の変形玩具。
【発明の詳細な説明】
【技術分野】
【０００１】
本発明は、玩具におけるスイッチ機構およびそれを用いて遊戯中に形状が変化する変形玩具に関するものである。
【背景技術】
【０００２】
玩具のスイッチ機構およびそれを用いた変形玩具は、従来からある（たとえば、特許文献１）。従来の玩具のスイッチ機構およびそれを用いた変形玩具は、攻撃側のおはじき玩具を守備側のおはじき玩具に当てることにより、守備側のおはじき玩具に載せた飛翔体が飛翔するものである。
【０００３】
従来の玩具のスイッチ機構およびそれを用いた変形玩具は、玩具本体と、作動部材と、弾き部材と、ばねと、係合部と、飛翔体と、を備えるものである。
玩具本体は、円盤状をなす。作動部材は、玩具本体の内部に玩具本体の直径方向に移動可能に配置されかつ先端が玩具本体の側面から突出している。弾き部材は、玩具本体の上面の載置部に対して上方に突出可能にかつ出没自在に設けられている。ばねは、弾き部材を常時突出方向に付勢させている。係合部は、載置部と弾き部材とに係脱可能に設けられている。飛翔体は、載置部に載せられている。
攻撃側のおはじき玩具が守備側のおはじき玩具の作動部材の先端に当たると、係合部の係合状態が外れて、弾き部材が載置部から上方に突出する。それに伴って、守備側のおはじき玩具の飛翔体が載置部から飛翔する。
【先行技術文献】
【特許文献】
【０００４】
【特許文献１】実用新案登録第３０８２９９９号公報
【発明の概要】
【発明が解決しようとする課題】
【０００５】
ところが、従来の玩具のスイッチ機構およびそれを用いた変形玩具は、弾き部材の突出を制動し、制動が解除されると弾き部材が突出して、飛翔体が飛翔するものである。このために、従来の玩具のスイッチ機構およびそれを用いた変形玩具は、１個の物（飛翔体）の１つの動作（飛翔）の変化しか得られず、面白みに欠けるという課題がある。
【０００６】
この発明が解決しようとする課題は、面白みに満ちた玩具のスイッチ機構およびそれを用いた変形玩具を提供することにある。
【課題を解決するための手段】
【０００７】
この発明は、載置面上に載置される載置部と、載置部に、載置面に対して平行もしくはほぼ平行な第１軸回りに回動可能に、取り付けられている第１可動部と、第１可動部に、第１軸に対して垂直もしくはほぼ垂直な第２軸回りに回動可能にかつ第２軸方向に移動可能に、取り付けられているスイッチ部と兼用の第２可動部と、第２可動部が第２軸回りの中位位置に位置するときには、第１可動部の第１軸回りの回動と第２可動部の第２軸方向の移動とを制動し、第２可動部が中位位置から第２軸回りに回動すると、制動が解除されて第１可動部が第１軸回りに回動しかつ第２可動部が第２軸方向に移動する制動部と、を備える、ことを特徴とする。
【０００８】
この発明は、第２可動部が、一方が緩やかな傾斜面からなり他方が急な傾斜面からなる１個以上の作動爪を有する、ことを特徴とする。
【０００９】
この発明は、載置面上に載置される載置部と、載置部に、載置面に対して平行もしくはほぼ平行な第１軸回りに第１位置・第２位置間を回動可能に、取り付けられている第１可動部と、第１可動部を第１位置から第２位置に付勢させる第１弾性部と、第１可動部に、第１軸に対して垂直もしくはほぼ垂直な第２軸回りに回動可能に、かつ、第２軸方向に第１位置・第２位置間を移動可能に、取り付けられているスイッチ部と兼用の第２可動部と、第２可動部を第２軸回りの中位位置に位置させかつ第１位置から第２位置に付勢させる第２弾性部と、第２可動部が中位位置に位置するときには、第１位置に位置する第１可動部の第２位置への回動と、第１位置に位置する第２可動部の第２位置への移動と、をそれぞれ制動し、第２可動部が中位位置から第２軸回りに回動すると、制動が解除されて、第１可動部が第１位置から第２位置に回動変位し、かつ、第２可動部が第１位置から第２位置に移動変位する制動部と、を備える、ことを特徴とする。
【００１０】
この発明は、第１可動部に、第１軸に対して垂直もしくはほぼ垂直な第１補助軸方向に第１位置・第２位置間を移動可能に、取り付けられている第１補助可動部と、第１補助可動部を第１位置から第２位置に付勢させる第１補助弾性部と、第１可動部に、第１軸に対して垂直もしくはほぼ垂直な第２補助軸回りに第１位置・第２位置間を回動可能に、取り付けられている第２補助可動部と、第２補助可動部を第１位置から第２位置に付勢させる第２補助弾性部と、第１位置に位置する第１補助可動部の第２位置への移動と、第１位置に位置する第２補助可動部の第２位置への回動と、をそれぞれ制動し、第２可動部が第２軸方向に第１位置から第２位置に移動すると、制動が解除されて、第１補助可動部が第１位置から第２位置に移動変位し、かつ、第２補助可動部が第１位置から第２位置に回動変位する補助制動部と、を備える、ことを特徴とする。
【００１１】
この発明は、第２可動部が、一方が緩やかな傾斜面からなり他方が急な傾斜面からなる１個以上の作動爪を有する、ことを特徴とする。
【発明の効果】
【００１２】
この発明の玩具のスイッチ機構およびそれを用いた変形玩具は、制動部により、第１可動部の回動と第２可動部の移動とを制動し、スイッチ部と兼用の第２可動部が中位位置から第２軸回りに回動すると、制動部の制動が解除されて、第１可動部が回動しかつ第２可動部が移動するものである。このように、この発明の玩具のスイッチ機構およびそれを用いた変形玩具は、２個の物（第１可動部、第２可動部）の２つの動作（回動、移動）の変化が同時に得られるので、１個の物（飛翔体）の１つの動作（飛翔）の変化しか得られない従来の玩具のスイッチ機構およびそれを用いた変形玩具と比較して、面白みが満ちている。
【図面の簡単な説明】
【００１３】
【図１】図１は、この発明にかかる玩具のスイッチ機構およびそれを用いた変形玩具の実施形態を示す斜視図である。
【図２】図２は、変形状態を示す側面図である。
【図３】図３は、変化状態を示す正面図である。
【図４】図４は、変化状態を示す縦断面図（垂直断面図）である。
【図５】図５は、変化状態を示す一部の部品を除いた説明図である。
【図６】図６は、斜め上側から見た分解斜視図である。
【発明を実施するための形態】
【００１４】
以下、この発明にかかる玩具のスイッチ機構およびそれを用いた変形玩具の実施形態の１例を図面に基づいて詳細に説明する。なお、図面においては、一部の部品の図示を省略してある場合がある。また、図４においては、断面のハッチングを省略してある。
【００１５】
（実施形態の構成の説明）
以下、この実施形態にかかる玩具のスイッチ機構およびそれを用いた変形玩具（以下、単に「この実施形態のスイッチ機構、変形玩具」と称する）の構成について説明する。
【００１６】
この実施形態のスイッチ機構、変形玩具は、載置部１と、第１可動部２と、第１弾性部３と、スイッチ部と兼用の第２可動部４と、第２弾性部５と、制動部６と、第１補助可動部７と、第１補助弾性部８と、２個の第２補助可動部９と、２個の第２補助弾性部１０と、補助制動部１１と、駒１００と、を備える。
【００１７】
この実施形態にかかる変形玩具は、図示の通り、亀を模した変形玩具である。この実施形態にかかる変形玩具（以下、単に「亀」と称する場合がある）は、駒１００を除いた他の部品１、２、３、４、５、６、７、８、９、１０、１１から構成されている。
この実施形態にかかる変形玩具は、亀が甲羅の中に頭、前足、後足を引っ込めて伏した状態（以下、単に「伏した状態」と称する場合がある）から、亀が甲羅から頭、前足、後足を突出しかつ甲羅、頭、前足を後足に対して起立した状態（以下、単に「起立した状態」と称する場合がある）に変化（変位、変形）するものである。
なお、図において、符号「Ｆ、Ｂ、Ｕ、Ｄ、Ｌ、Ｒ」は、亀から見て、「前、後、上、下、左、右」である。
【００１８】
図１（Ａ）は、亀が伏した状態で、たとえば、テーブルや机などの上面（天面）の載置面１２に、駒１００と共に載置された状態を示す斜視図である。図１（Ｂ）は、亀が起立した状態を示す斜視図である。
図２（Ａ）は、亀が伏した状態で、載置面１２に、駒１００と共に載置された状態を示す側面図（図１（Ａ）におけるＩＩＡ矢視図）である。図２（Ｂ）は、起立する途中の状態を示す側面図である。図２（Ｃ）は、亀が起立した状態を示す側面図（図１（Ｂ）におけるＩＩＣ矢視図）である。
図３（Ａ）は、亀が伏した状態を示す正面図（図２（Ａ）におけるＩＩＩＡ矢視図）である。図３（Ｂ）は、亀が起立する途中の状態を示す正面図（図２（Ｂ）におけるＩＩＩＢ矢視図）である。図３（Ｃ）は、亀が起立した状態を示す正面図（図２（Ｃ）におけるＩＩＩＣ矢視図）である。
図４（Ａ）は、亀が伏した状態を示す縦断面図（図３（Ａ）におけるＩＶＡ−ＩＶＡ線断面図）である。図４（Ｂ）は、亀が起立した状態を示す縦断面図（図３（Ｃ）におけるＩＶＢ−ＩＶＢ線断面図）である。
図５（Ａ）は、亀が伏した状態を示す一部の部品を除いた説明図（図２（Ａ）におけるＶＡ矢視図）である。図５（Ｂ）は、亀が起立した状態を示す一部の部品を除いた説明図（図２（Ｃ）におけるＶＢ矢視図）である。
なお、図５（Ａ）、（Ｂ）においては、第１弾性部３の図示を省略してある。また、図５（Ａ）においては、第１補助弾性部８を図示してあるが、図５（Ｂ）においては、第１補助弾性部８の図示を省略してある。
【００１９】
亀が伏した状態のときの各部品の位置を、第１位置とする（図１（Ａ）、図２（Ａ）、図３（Ａ）、図４（Ａ）、図５（Ａ）を参照）。亀が起立した状態のときの各部品の位置を、第２位置とする（図１（Ｂ）、図２（Ｃ）、図３（Ｃ）、図４（Ｂ）、図５（Ｂ）を参照）。なお、亀が起立する途中の状態のときの各部品の位置を、途中位置とする（図２（Ｂ）、図３（Ｂ）を参照）。
【００２０】
（載置部１の説明）
載置部１は、亀の後足を模した部品であって、以下、「後足部１」と称する。後足部１は、円柱形状の腰部１３と、左右の脚部１４と、からなる。腰部１３の左右両端には、脚部１４が一体に設けられている。脚部１４の下面を載置面１２に載置（接地）することにより、後足部１は、載置面１２に載置される。
【００２１】
（第１可動部２の説明）
第１可動部２は、亀の胴を模した部品であって、以下、「胴部２」と称する。胴部２は、腹部１５と、背部１６と、からなる。腹部１５には、ボス部が一体に設けられている。一方、背部１６には、透孔が設けられている。背部１６の透孔中には、スクリュー１７が通っている。腹部１５のボス部には、スクリュー１７がねじ込まれている。
この結果、腹部１５と背部１６とは、スクリュー１７により、相互に一体に取り付けられている。腹部１５および背部１６は、亀の腹面側の甲羅をなす。
【００２２】
胴部２の一端部分（後端部分もしくは下端部分）は、後足部１の腰部１３に、載置面１２に対して平行もしくはほぼ平行な円柱形状の第１軸としての第１軸部材１８の軸Ｏ１（以下、「第１軸Ｏ１」と称する）回りに第１位置・第２位置間を回動可能に、取り付けられている。
胴部２の第１位置は、胴部２が後足部１に対して伏せた状態の位置である。胴部２の第２位置は、胴部２が後足部１に対して起立した状態の位置である。
【００２３】
腰部１３には、円形孔１９が設けられている。胴部２の一端部分には、収納部２０と左右の開口部２１と左右の軸受部２２とがそれぞれ設けられている。腰部１３の円形孔１９中には、第１軸部材１８が挿入固定されている。
腰部１３および第１軸部材１８は、収納部２０中に収納されている。左右の脚部１４は、左右の開口部２１から外側に突出している。第１軸部材１８の左右両端部は、左右の軸受部２２にそれぞれ回動可能に取り付けられている。
この状態において、腹部１５と背部１６とは、スクリュー１７で一体に取り付けられている。この結果、胴部２は、後足部１に対して、左右方向に配置されている第１軸Ｏ１回りに回動可能である。
【００２４】
なお、この例では、後足部１と第１軸部材１８とが相互に固定されていて、胴部２が後足部１および第１軸部材１８に対して回動するものである。ところが、胴部２と第１軸部材１８とが相互に固定されていて、胴部２および第１軸部材１８が後足部１に対して回動するものであっても良い。
【００２５】
（第１弾性部３の説明）
第１弾性部３は、胴部２を後足部１に対して、第１位置から第２位置に常時付勢させるものである。第１弾性部３は、この例では、トーションスプリング（ねじりばね、ねじりコイルばね）である。後足部１の腰部１３の一端部（右端部）には、円柱形状の取付軸部２３が設けられている。取付軸部２３の外径は、腰部１３の外径より小さい。第１弾性部３のコイル部は、取付軸部２３に外側から嵌め込まれている。これにより、第１弾性部３は、後足部１の取付軸部２３に保持されている。
このとき、第１弾性部３のコイル部の中心軸と第１軸Ｏ１とは、一致もしくはほぼ一致する。第１弾性部３の一方のアーム部は、後足部１に係合する。第１弾性部３の他方のアーム部は、胴部２に係合する。この結果、胴部２は、第１弾性部３の弾性作用（ねじりモーメント）により、後足部１に対して、第１位置から第２位置に常時付勢されている。
【００２６】
（スイッチ部と兼用の第２可動部４の説明）
スイッチ部と兼用の第２可動部４は、亀の背面側の甲羅を模した部品であって、以下、「甲羅部４」と称する。甲羅部４は、胴部２に、第１軸Ｏ１に対して垂直もしくはほぼ垂直な第２軸としての第２軸部材２４の軸Ｏ２（以下、「第２軸Ｏ２」と称する）回りに回動可能に、かつ、第２軸Ｏ２方向に第１位置・第２位置間を移動可能に、取り付けられている。
甲羅部４の第１位置は、甲羅部４が胴部２に外側から嵌合した状態の位置である。甲羅部４の第２位置は、甲羅部４が胴部２に対して上側もしくは後側に突出した状態の位置である。
【００２７】
甲羅部４は、一面（下面もしくは前面）が円形もしくはほぼ円形に開口し、他の面が半球形もしくはほぼ半球形に閉塞した中空形状の椀形状をなす。甲羅部４の閉塞部分の中央には、円形の凹部２５が設けられている。凹部２５の底には、円形の透孔２６が設けられている。透孔２６中には、スクリュー２７が通っている。
第２軸部材２４は、中空形状の円柱形状（円筒形状）をなす。第２軸部材２４には、スクリュー２７がねじ込まれている。この結果、甲羅部４と第２軸部材２４とは、スクリュー２７により、相互に一体に取り付けられている。甲羅部４の凹部２５の内面と第２軸部材２４の一端面（上端面もしくは後端面）とは、相互に当接している。
【００２８】
胴部２の内部の中央部分には、ガイド２８が設けられている。胴部２の背部１６の中央部分には、孔２９が設けられている。ガイド２８は、円筒形状の一部の形状をなす。孔２９は、円形状の一部の形状をなす。ガイド２８の中心と孔２９の中心とは、一致もしくはほぼ一致する。
ガイド２８には、第２軸部材２４が、第２軸Ｏ２回りに回動可能にかつ第２軸Ｏ２方向に移動可能にガイドされている。孔２９中には、第２軸部材２４が、第２軸Ｏ２回りに回動可能にかつ第２軸Ｏ２方向に移動可能に挿通されている。この結果、甲羅部４は、第２軸部材２４を介して、胴部２に対して、上下方向もしくは前後方向に配置されている第２軸Ｏ２回りに回動可能でありかつ第２軸Ｏ２方向に移動可能である。
一方、第２軸部材２４は、ガイド２８にガイドされていて、かつ、第２軸部材２４は、孔２９中に挿通されている。この結果、甲羅部４は、第２軸部材２４を介して、胴部２に対して、第２軸Ｏ２の径方向（第２軸Ｏ２の垂直もしくはほぼ垂直な方向）に移動不可能である。
【００２９】
甲羅部４は、１個もしくは複数個、この例では、１４個の作動爪３０を有する。作動爪３０は、甲羅部４の開口面の縁のうち一部（後部もしくは下部）を除いた縁に、等間隔に一体に設けられている。
作動爪３０は、一方が緩やかな傾斜面３１からなり、かつ、他方が急な傾斜面３２からなる。緩やかな傾斜面３１および急な傾斜面３２（以下、単に「傾斜面３１、３２」と称する場合がある）は、曲面をなし、駒１００の衝突力を受けて、甲羅部４に第２軸Ｏ２回りの回動力として、伝達する。
１４個の作動爪３０は、甲羅部４が第１位置に位置する状態（亀が伏した状態）のときには、載置面１２に対して平行もしくはほぼ平行となる。このために、作動爪３０は、載置面１２に対して平行もしくはほぼ平行な駒１００の衝突力を、載置面１２に対して垂直もしくはほぼ垂直な第２軸Ｏ２回りの回動力に、確実に変換することができる。なお、作動爪３０の個数や傾斜面３１、３２の形状などは、特に限定しない。
【００３０】
甲羅部４の開口面の縁のうち一部、すなわち、作動爪３０が設けられていない一部には、傾倒防止部３３が後方もしくは下方に一体に突設されている。傾倒防止部３３は、中空のほぼ台形形状をなす。傾倒防止部３３は、亀が伏した状態のときには、甲羅部４と同様に、載置面１２に接地（載置）していない。
一方、傾倒防止部３３は、亀が起立した状態のときには、甲羅部４と異なり、載置面１２に接地する。この結果、傾倒防止部３３は、亀が伏した状態から起立した状態に変化した際に、亀が後方に傾倒するのを防ぐ。
【００３１】
（第２弾性部５の説明）
第２弾性部５は、甲羅部４を、胴部２に対して、中位位置（中立位置）に常時位置させ、かつ、第１位置から第２位置に常時付勢させるものである。甲羅部４の中位位置は、制動部６により、第１位置に位置する胴部２の第２位置への回動と、第１位置に位置する甲羅部４の第２位置への移動と、がそれぞれ制動されている状態の位置である。
【００３２】
第２弾性部５は、この例では、トーションスプリング（ねじりばね、ねじりコイルばね）である。第２弾性部５のコイル部は、第２軸部材２４に外側から嵌め込まれている。これにより、第２弾性部５は、甲羅部４と一体の第２軸部材２４に保持されている。
このとき、第２弾性部５のコイル部の中心軸と第２軸Ｏ２とは、一致もしくはほぼ一致する。第２弾性部５の一方のアーム部は、胴部２に係合する。第２弾性部５の他方のアーム部は、甲羅部４に係合する。この結果、甲羅部４は、第２弾性部５の弾性作用（ねじりモーメントによる弾性作用であって、以下「第１弾性作用」と称する）により、胴部２に対して、中位位置に常時位置している。
【００３３】
第２弾性部５は、甲羅部４の凹部２５の内面と胴部２の背部１６の孔２９の縁部外面との間に、圧縮された状態で介在されている。この結果、甲羅部４は、第２弾性部５の弾性作用（圧縮状態から元の状態に戻るときの復帰力による弾性作用であって、以下「第２弾性作用」と称する）により、胴部２に対して、第１位置から第２位置に常時付勢されている。
【００３４】
（制動部６の説明）
制動部６は、第１凸部３４と、第２凸部３５と、から構成されている。第１凸部３４は、腰部１３の中間部分に第１軸Ｏ１に対して垂直もしくはほぼ垂直に前側に一体に突設されている。第２凸部３５は、第２軸部材２４の一端部（下端部もしくは後端部）に、第２軸Ｏ２に対して垂直もしくはほぼ垂直に後側もしくは下側（第２軸部材２４の径方向）に一体に突設されている。
【００３５】
甲羅部４が中位位置に位置するときには、第１凸部３４と第２凸部３５とは、第１軸Ｏ１に対して垂直もしくはほぼ垂直に上下方向に重なり合う。図４（Ａ）、図５（Ａ）に示すように、第１凸部３４の下面と第２凸部３５の上面とが相互に当接することにより、第１位置に位置する胴部２の第２位置への回動と、第１位置に位置する甲羅部４の第２位置への移動と、がそれぞれ制動されている。
【００３６】
すなわち、第１位置に位置する胴部２が、第１弾性部３の弾性作用により、第１軸Ｏ１回りに第２位置に回動しようとする。すると、胴部２のガイド２８にガイドされていてかつ胴部２の孔２９に挿通されている第２軸部材２４も、同様に、第１弾性部３の弾性作用により、第１軸Ｏ１回りに第１位置から第２位置に回動しようとする。
ところが、後足部１の第１凸部３４の下面と第２軸部材２４の第２凸部３５の上面とが相互に当接している。この結果、第２軸部材２４の第１軸Ｏ１回りの第１位置から第２位置への回動は、第１弾性部３の弾性作用に抗して、制動されている。第２軸部材２４の回動の制動を介して、胴部２の第１軸Ｏ１回りの第１位置から第２位置への回動も、同様に、第１弾性部３の弾性作用に抗して、制動されている。
【００３７】
一方、第１位置に位置する甲羅部４が、第２弾性部５の第２弾性作用により、第２軸Ｏ２方向に第２位置に移動しようとする。すると、甲羅部４に相互に一体に取り付けられている第２軸部材２４も、同様に、第２弾性部５の第２弾性作用により、第２軸Ｏ２方向に第１位置から第２位置に移動しようとする。
ところが、後足部１の第１凸部３４の下面と第２軸部材２４の第２凸部３５の上面とが相互に当接している。この結果、第２軸部材２４の第２軸Ｏ２方向の第１位置から第２位置への移動は、第２弾性部５の第２弾性作用に抗して、制動されている。第２軸部材２４の移動の制動を介して、甲羅部４の第２軸Ｏ２方向の第１位置から第２位置への移動も、同様に、第２弾性部５の第２弾性作用に抗して、制動されている。
【００３８】
中位位置に位置する甲羅部４が第２軸Ｏ２回りに回動する。すると、図４（Ｂ）、図５（Ｂ）に示すように、第１凸部３４の下面と第２凸部３５の上面との相互当接の制動が解除される。このために、胴部２と甲羅部４とは、同時に、第１軸Ｏ１回りに第１位置から第２位置に回動変位する。また、甲羅部４は、第２軸Ｏ２方向に第１位置から第２位置に移動変位する。甲羅部４の回動変位と甲羅部４の移動変位とは、同時に行われる。
【００３９】
（第１補助可動部７の説明）
第１補助可動部７は、亀の頭を模した部品であって、以下、「頭部７」と称する。頭部７は、顔部３６と、後頭部３７と、からなる。顔部３６には、ボス部が一体に設けられている。一方、後頭部３７には、透孔が設けられている。後頭部３７の透孔中には、スクリュー３８が通っている。顔部３６のボス部には、スクリュー３８がねじ込まれている。この結果、顔部３６と後頭部３７とは、スクリュー３８により、相互に一体に取り付けられている。
【００４０】
頭部７は、中空形状をなす。頭部７の一端部分（後端部分もしくは下端部分）には、開口部３９が設けられている。頭部７は、開口部３９を通して、胴部２の他端部分（前端部分もしくは上端部分）からほぼ中央部分までの前側半分の部分もしくは上側半分の部分に外側から嵌合することができる。
【００４１】
頭部７は、胴部２の他端部分に、第１軸Ｏ１に対して垂直もしくはほぼ垂直な第１補助軸Ｏ３（以下、「第３軸Ｏ３」と称する）方向に第１位置・第２位置間を移動可能に、取り付けられている。頭部７の第１位置は、頭部７が胴部２に嵌合しかつ甲羅部４中に収納された状態の位置である。頭部７の第２位置は、頭部７が胴部２に対して前側もしくは上側に突出した状態の位置である。
【００４２】
胴部２の他端部分には、２本のガイドレール４０と２個のガイド凸部４１とが、第３軸Ｏ３方向にそれぞれ一体に設けられている。２個のガイド凸部４１は、２本のガイドレール４０の一端（前端もしくは上端）に設けられている。
頭部７の他端部分（前端部分もしくは上端部分）の内部には、２本のガイドレール４２と２個のガイド凸部４３とが、第３軸Ｏ３方向にそれぞれ一体に設けられている。２個のガイド凸部４３は、２本のガイドレール４２の一端（後端もしくは下端）に設けられている。
胴部２の２本のガイドレール４０と頭部７の２個のガイド凸部４３とは、相互に第３軸Ｏ３方向にガイドされている。胴部２の２個のガイド凸部４１と頭部７の２本のガイドレール４２とは、相互に第３軸Ｏ３方向にガイドされている。この結果、頭部７は、胴部２に対して、前後方向もしくは上下方向に配置されている第３軸Ｏ３方向に移動可能である。
【００４３】
（第１補助弾性部８の説明）
第１補助弾性部８は、頭部７を胴部２に対して、第１位置から第２位置に常時付勢させるものである。第１補助弾性部８は、この例では、圧縮コイルばねである。
胴部２の２本のガイドレール４０の間には、第１当接部４４が、第３軸Ｏ３に対して垂直方向もしくはほぼ垂直方向に一体に設けられている。第１当接部４４は、２本のガイドレール４０の他端部（後端部もしくは下端部）に設けられている。
頭部７の２本のガイドレール４２の間には、第２当接部４５が、第３軸Ｏ３に対して垂直方向もしくはほぼ垂直方向に一体に設けられている。第２当接部４５は、２本のガイドレール４２の他端部（前端部もしくは上端部）に設けられている。
第１当接部４４には、保持軸部４６が、２本のガイドレール４０の間に、第３軸Ｏ３方向に一体に設けられている。第２当接部４５には、保持凸部４７が、２本のガイドレール４２の間に、第３軸Ｏ３方向に一体に設けられている。
【００４４】
第１補助弾性部８は、胴部２の第１当接部４４と頭部７の第２当接部４５との間に、圧縮された状態で介在されている。第１補助弾性部８の一端部（後端部もしくは下端部）は、保持軸部４６に外側から嵌め込まれている。第１補助弾性部８の他端部（前端部もしくは上端部）は、保持凸部４７に外側から嵌め込まれている。
これにより、第１補助弾性部８は、胴部２の保持軸部４６と頭部７の保持凸部４７に保持されている。このとき、第１補助弾性部８のコイル部の中心軸と第３軸Ｏ３とは、一致もしくはほぼ一致する。この結果、頭部７は、第１補助弾性部８の弾性作用（圧縮状態から元の状態に戻るときの復帰力）により、胴部２に対して、第１位置から第２位置に常時付勢されている。
【００４５】
（第２補助可動部９の説明）
２個の第２補助可動部９は、亀の左右の前足を模した部品であって、以下、「左右の前足部９」と称する。左右の前足部９は、それぞれ、円筒形状の軸部４８と、腕部４９と、から一体に構成されている。左右の前足部９の軸部４８は、それぞれ、胴部２の中間部分の左右両側に、第１軸Ｏ１に対して垂直もしくはほぼ垂直な第２補助軸としての２本のピン（軸部材）５０の軸Ｏ４（以下、「第４軸Ｏ４」と称する）回りに第１位置・第２位置間を回動可能に、取り付けられている。
左右の前足部９の第１位置は、それぞれ、左右の前足部９が胴部２の一端部分の左右両側に沿って閉じかつ甲羅部４中に収納された状態の位置である。左右の前足部９の第２位置は、それぞれ、左右の前足部９が胴部２に対して左右両外側に開いた状態の位置である。
【００４６】
左右の前足部９は、それぞれ、胴部２の２本のガイドレール４０よりも左右両外側に配置されている。胴部２の腹部１５および背部１６の中間部分の左右両側の相対向する内側面には、小円形の凹部がそれぞれ設けられている。腹部１５および背部１６の凹部中には、ピン５０の両端がそれぞれ固定されている。２本のピン５０には、左右の前足部９の軸部４８が外側から回動可能にそれぞれ嵌合されている。
この結果、左右の前足部９は、それぞれ、胴部２に対して、上下方向もしくは前後方向に配置されている２本の第４軸Ｏ４回りに回動可能である。
【００４７】
（第２補助弾性部１０の説明）
２個の第２補助弾性部１０は、それぞれ、左右の前足部９を胴部２に対して、第１位置から第２位置に常時付勢させるものである。２個の第２補助弾性部１０は、この例では、トーションスプリング（ねじりばね、ねじりコイルばね）である。２個の第２補助弾性部１０のコイル部は、それぞれ、２本のピン５０に外側から嵌め込まれている。
このとき、２個の第２補助弾性部１０のコイル部の中心軸と２本の第４軸Ｏ４とは、それぞれ、一致もしくはほぼ一致する。２個の第２補助弾性部１０の一方のアーム部は、それぞれ、胴部２の背部１６に係合する。２個の第２補助弾性部１０の他方のアーム部は、それぞれ、左右の前足部９の腕部４９に係合する。この結果、左右の前足部９は、それぞれ、２個の第２補助弾性部１０の弾性作用（ねじりモーメント）により、胴部２に対して、第１位置から第２位置に常時付勢されている。
【００４８】
（補助制動部１１の説明）
補助制動部１１は、甲羅部４と、頭部７および左右の前足部９と、から構成されている。甲羅部４が第１位置に位置するときには、頭部７と左右の前足部９とは、それぞれ、甲羅部４中に収納されている。
【００４９】
このとき、図３（Ａ）に示すように、第１位置に位置する甲羅部４の内面と第１位置に位置する頭部７の外面とは、相互に当接している。このために、頭部７の第３軸Ｏ３方向の第１位置から第２位置への移動は、第１補助弾性部８の弾性作用に抗して、制動されている。
また、第１位置に位置する甲羅部４の内面と第１位置に位置する左右の前足部９の外面とは、相互に当接している。このために、左右の前足部９の第４軸Ｏ４回りの第１位置から第２位置への回動は、第２補助弾性部１０の弾性作用に抗して、制動されている。
【００５０】
第１位置に位置する甲羅部４が第２軸Ｏ２方向に第２位置に位置する。すると、図３（Ｂ）（Ｃ）に示すように、第１位置に位置する甲羅部４の内面と第１位置に位置する頭部７の外面との相互当接の制動が解除される。このために、頭部７は、第３軸Ｏ３方向に第１位置から第２位置に移動変位する。
また、第１位置に位置する甲羅部４の内面と第１位置に位置する左右の前足部９の外面との相互当接の制動が解除される。このために、左右の前足部９は、第４軸Ｏ４回りに第１位置から第２位置に回動変位する。頭部７の移動変位と左右の前足部９の回動変位とは、同時に行われる。
【００５１】
（ストッパの説明）
第２軸部材２４の一端部には、ストッパ凸部５１が、第２軸部材２４の径方向に一体に突設されている。ストッパ凸部５１は、第２凸部３５に対して反対側（前側もしくは上側）に設けられていて、第２凸部３５と直線もしくはほぼ直線をなす。一方、胴部２の腹部１５および背部１６の左右両側には、ストッパ受部５２が、それぞれ、第２軸部材２４の径方向に一体に設けられている。
中位位置に位置する甲羅部４が、第２弾性部５の弾性作用（ねじりモーメント）に抗して、第２軸Ｏ２回りに時計回りあるいは反時計回りに回動する。すると、図４（Ｂ）に示すように、ストッパ凸部５１と第２凸部３５とは、左右のストッパ受部５２にそれぞれ相互に当接する。これにより、甲羅部４の回動は、停止する。このとき、制動部６の第１凸部３４の下面と第２凸部３５の上面との相互当接の制動が解除される。
なお、制動部６の制動が解除されると、第２弾性部５の弾性作用（ねじりモーメント）により、甲羅部４が回動停止位置から中位位置に戻って位置する。これに伴って、ストッパ凸部５１および第２凸部３５と左右のストッパ受部５２との相互当接が解除される。ストッパ凸部５１および第２凸部３５およびストッパ受部５２は、甲羅部４の中位位置からの回動角度を規制するストッパを構成する。
【００５２】
後足部１の第１凸部３４の前側端面には、ストッパ面５３が設けられている。第１位置に位置する胴部２が回動して第２位置に位置する。すると、図４（Ｂ）に示すように、後足部１のストッパ面５３と胴部２の腹部１５の後側面とが相互に当接する。これにより、胴部２の回動は、第２位置で停止し、胴部２は、第１弾性部３の弾性作用に抗して、第２位置に位置する。ストッパ面５３と腹部１５の後側面とは、胴部２の第１位置から第２位置までの回動角度を規制するストッパを構成する。
【００５３】
第２軸部材２４の一端部には、円板形状のストッパ板部５４が一体に設けられている。第１位置に位置する甲羅部４が移動して第２位置に位置する。すると、図４（Ｂ）に示すように、ストッパ板部５４の後側面と胴部２の背部１６の孔２９の縁部内面とが相互に当接する。これにより、甲羅部４の移動は、第２位置で停止し、甲羅部４は、第２弾性部５の弾性作用に抗して、第２位置に位置する。ストッパ板部５４と背部１６とは、甲羅部４の第１位置から第２位置までの移動距離を規制するストッパを構成する。
【００５４】
第１位置に位置する頭部７が移動して第２位置に位置する。すると、図４（Ｂ）に示すように、胴部２の２個のガイド凸部４１と頭部７の２個のガイド凸部４３とが相互に当接する。これにより、頭部７の移動は、第２位置で停止し、頭部７は、第１補助弾性部８の弾性作用に抗して、第２位置に位置する。２個のガイド凸部４１と２個のガイド凸部４３とは、頭部７の第１位置から第２位置までの移動距離を規制するストッパを構成する。
【００５５】
左右の前足部９の軸部４８には、それぞれ、ストッパ当面５５が設けられている。胴部２の２本のガイドレール４０の他端の左右両外側面には、それぞれ、ストッパ受面５６が設けられている。第１位置に位置する左右の前足部９が回動して第２位置に位置する。すると、図４（Ｂ）に示すように、ストッパ当面５５とストッパ受面５６とが相互に当接する。これにより、左右の前足部９の回動は、第２位置で停止し、左右の前足部９は、２個の第２補助弾性部１０の弾性作用に抗して、第２位置に位置する。ストッパ当面５５とストッパ受面５６とは、左右の前足部９の第１位置から第２位置までの回動角度を規制するストッパを構成する。
【００５６】
（スイッチ機構の説明）
後足部１と、胴部２と、甲羅部４と、制動部６とは、この実施形態にかかる玩具のスイッチ機構を構成する。
【００５７】
（駒１００の説明）
駒１００は、円盤（円板）形状をなす。駒１００の両面（天面と底面、あるいは、上面と下面）は、載置面１２に載置される。駒１００の両面には、底が浅い円形の凹部がそれぞれ設けられている。駒１００の外周側面の高さ（両面間の距離）は、載置面１２から第１位置に位置する甲羅部４の作動爪３０の上縁までの距離と、同等もしくはほぼ同等である。
このために、載置面１２に載置されている駒１００の外周側面と、第１位置に位置して載置面１２に載置されている甲羅部４の作動爪３０の傾斜面３１、３２とは、載置面１２から同等もしくはほぼ同等の高さに位置する。これにより、駒１００の外周側面と、甲羅部４の作動爪３０の傾斜面３１、３２とは、確実に、相互に当たる。
【００５８】
（実施形態の作用の説明）
この実施形態のスイッチ機構、変形玩具は、以上のごとき構成からなり、以下、その作用について説明する。
【００５９】
まず、各部品の位置を第１位置に位置させる。このとき、甲羅部４は、第２弾性部５の第１弾性作用により、中位位置に位置し、かつ、その中位位置を維持する。この結果、制動部６と補助制動部１１とは、共に制動作用の状態にある。
【００６０】
すなわち、制動部６の第１凸部３４の下面と第２凸部３５の上面とが相互に当接している。これにより、第１位置に位置する胴部２の第２位置への回動は、第１弾性部３の弾性作用に抗して、制動されている。また、第１位置に位置する甲羅部４の第２位置への移動も、第２弾性部５の第２弾性作用に抗して、制動されている。
【００６１】
一方、第１位置に位置する甲羅部４の内面と第１位置に位置する頭部７の外面とが相互に当接している。これにより、第１位置に位置する頭部７の第２位置への移動は、第１補助弾性部８の弾性作用に抗して、制動されている。また、第１位置に位置する甲羅部４の内面と第１位置に位置する左右の前足部９の外面とが相互に当接している。これにより、第１位置に位置する左右の前足部９の第２位置への回動も、第２補助弾性部１０の弾性作用に抗して、制動されている。
【００６２】
このように、各部品の位置を第１位置に位置させると、亀は、後足部１、胴部２、頭部７、左右の前足部９を、それぞれ、甲羅部４の中に引っ込めた状態となる。また、制動部６と補助制動部１１との制動作用により、亀のの状態が維持される。
【００６３】
つぎに、各部品の位置を第１位置に位置させた状態で、後足部１の左右の脚部１４の下面を載置面１２に載置する。すると、図１（Ａ）、図２（Ａ）、図３（Ａ）、図４（Ａ）、図５（Ａ）に示すように、亀が後足部１、胴部２、頭部７、左右の前足部９を、それぞれ、甲羅部４の中に引っ込めて伏した状態となる。このとき、後足部１の左右の脚部１４の下面のみが、載置面１２に載置し、その他の部品は、載置面１２に接地していない。なお、頭部７の顔部３６の一部が載置面１２に接地する場合がある。
【００６４】
ここで、載置面１２に載置した駒１００を、載置面１２に伏せた状態の亀にめがけて、弾くもしくは放つ。駒１００の外周側面が甲羅部４の作動爪３０の緩やかな傾斜面３１または急な傾斜面３２に当たる。あるいは、載置面１２に伏せた状態の亀を、載置面１２に載置した駒１００にめがけて、弾くもしくは放つ。甲羅部４の作動爪３０の緩やかな傾斜面３１または急な傾斜面３２が駒１００の外周側面に当たる。
【００６５】
このとき、駒１００の外周側面と甲羅部４の作動爪３０の緩やかな傾斜面３１または急な傾斜面３２とには、載置面１２に対して平行もしくはほぼ平行な衝突力が発生する。この衝突力は、作動爪３０を介して、第２軸Ｏ２回りの回動力として、甲羅部４に伝達される。
【００６６】
すると、中位位置に位置する甲羅部４が胴部２（後足部１、頭部７、左右の前足部９を含む）に対して第２軸Ｏ２回りに時計回りあるいは反時計回りに回動する。これにより、制動部６の第１凸部３４の下面と第２凸部３５の上面との相互当接の制動が解除される。
【００６７】
このために、第１位置に位置する胴部２と甲羅部４と頭部７と左右の前足部９とが、第１弾性部３の弾性作用により、同時に、後足部１に対して、第１軸Ｏ１回りに第２位置に回動変位する。すなわち、胴部２および甲羅部４および頭部７および左右の前足部９が、後足部１に対して、伏せた状態から起立する。
【００６８】
それと同時に、第１位置に位置する甲羅部４が、第２弾性部５の第２弾性作用により、胴部２および頭部７および左右の前足部９に対して、第２軸Ｏ２方向に第２位置に移動変位する。すなわち、甲羅部４が、胴部２および頭部７および左右の前足部９に対して、せり上がる。
【００６９】
甲羅部４が第２軸Ｏ２方向に第１位置から第２位置に移動変位すると、補助制動部１１の甲羅部４の内面と頭部７の外面との相互当接の制動が解除される。このために、第１位置に位置する頭部７が、第１補助弾性部８の弾性作用により、胴部２に対して、第３軸Ｏ３方向に第２位置に移動変位する。すなわち、頭部７が、胴部２に対して、前もしくは上に突出する。
【００７０】
これと同時に、補助制動部１１の甲羅部４の内面と左右の前足部９の外面との相互当接の制動が解除される。このために、第１位置に位置する左右の前足部９が、第２補助弾性部１０の弾性作用により、胴部２に対して、第４軸Ｏ４回りに第２位置にそれぞれ回動変位する。すなわち、左右の前足部９が、胴部２に対して、左右両外側に開く。
【００７１】
このように、伏せた状態の亀が、図２（Ｂ）、図３（Ｂ）に示す途中の状態を経て、後足部１、胴部２、頭部７、左右の前足部９を、それぞれ、甲羅部４から突出させ、かつ、載置面１２に対して、起立した状態となる。すなわち、図１（Ｂ）、図２（Ｃ）、図３（Ｃ）、図４（Ｂ）、図５（Ｂ）に示すように、胴部２、甲羅部４、頭部７、左右の前足部９が、後足部１に対して、起立した状態となる。このとき、後足部１の左右の脚部１４の下面と、甲羅部４の傾倒防止部３３の下端面が、載置面１２に載置している。
【００７２】
ここで、中位位置に位置する甲羅部４が所定の角度を回動すると、甲羅部４と一体の第２軸部材２４の第２凸部３５とストッパ凸部５１とが胴部２のストッパ受部５２にそれぞれ相互に当接する。これにより、甲羅部４の回動が停止する。この後、甲羅部４は、第２弾性部５の第１弾性作用により、回動停止位置から中位位置に回動して戻る。このとき、甲羅部４と一体の第２軸部材２４の第２凸部３５とストッパ凸部５１とが胴部２のストッパ受部５２からそれぞれ離れる。
【００７３】
また、胴部２が第２位置に位置すると、後足部１のストッパ面５３と胴部２の腹部１５の後側面とが相互に当接する。これにより、胴部２の回動が第２位置で停止し、胴部２が第１弾性部３の弾性作用に抗して第２位置に位置する。
【００７４】
さらに、甲羅部４が第２位置に位置すると、甲羅部４と一体の第２軸部材２４のストッパ板部５４の後側面と胴部２の背部１６の孔２９の縁部内面とが相互に当接する。これにより、甲羅部４の移動が第２位置で停止し、甲羅部４が第２弾性部５の弾性作用に抗して第２位置に位置する。
【００７５】
さらにまた、頭部７が第２位置に位置すると、胴部２の２個のガイド凸部４１と頭部７の２個のガイド凸部４３とが相互に当接する。これにより、頭部７の移動が第２位置で停止し、頭部７が第１補助弾性部８の弾性作用に抗して第２位置に位置する。
【００７６】
さらにまた、左右の前足部９が第２位置に位置すると、左右の前足部９のストッパ当面５５と胴部２の２本のガイドレール４０のストッパ受面５６とがそれぞれ相互に当接する。これにより、左右の前足部９の回動がそれぞれ第２位置で停止し、左右の前足部９がそれぞれ２個の第２補助弾性部１０の弾性作用に抗して第２位置に位置する。
【００７７】
以上から、亀が、後足部１、胴部２、頭部７、左右の前足部９を、それぞれ、甲羅部４から突出させ、かつ、載置面１２に対して、起立した状態を、維持することができる。
【００７８】
（実施形態の効果の説明）
この実施形態のスイッチ機構、変形玩具は、以上のごとき構成作用からなり、以下、その効果について説明する。
【００７９】
この実施形態のスイッチ機構、変形玩具は、制動部６により、第１可動部としての胴部２の回動とスイッチ部と兼用の第２可動部としての甲羅部４の移動とを制動する。この実施形態のスイッチ機構、変形玩具は、甲羅部４が中位位置から第２軸Ｏ２回りに回動すると、制動部６の制動が解除されて、胴部２が回動しかつ甲羅部４が移動するものである。
このように、この実施形態のスイッチ機構、変形玩具は、２個の物（胴部２、甲羅部４）の２つの動作（回動、移動）の変化が同時に得られるので、１個の物（飛翔体）の１つの動作（飛翔）の変化しか得られない従来のものと比較して、面白みが満ちている。
【００８０】
この実施形態のスイッチ機構、変形玩具は、１個の制動部６により、２個の物（胴部２、甲羅部４）の２つの動作（回動、移動）を同時に制動するものであるから、構造が簡単である。しかも、この実施形態のスイッチ機構、変形玩具は、制動部６が足部１に設けた第１凸部３４と甲羅部４と一体の第２軸部材２４に設けた第２凸部３５とから構成されているものであるから、構造がさらに簡単である。
【００８１】
この実施形態にかかる変形玩具は、胴部２を第１位置から第２位置に付勢させる第１弾性部３と、甲羅部４を第１位置から第２位置に付勢させる第２弾性部５と、を備えるものである。このために、この実施形態にかかる変形玩具は、第１弾性部３と第２弾性部５とにより、胴部２の回動と甲羅部４の移動とを確実に行うことができる。
【００８２】
この実施形態にかかる変形玩具は、補助制動部１１により、第１補助可動部としての頭部７の移動と第２補助可動部としての左右の前足部９の回動とを制動する。この実施形態にかかる変形玩具は、甲羅部４が第１位置から第２位置に移動すると、補助制動部１１の制動が解除されて、頭部７が移動しかつ左右の前足部９が回動するものである。このように、この実施形態にかかる変形玩具は、胴部２の回動および甲羅部４の移動に、頭部７の移動および左右の前足部９の回動が、追加して得られるので、さらに面白みが満ちている。
【００８３】
たとえば、この実施形態にかかる変形玩具は、亀を模した変形玩具であって、亀が甲羅の中に頭、前足、後足を引っ込めて伏した状態から、亀が甲羅から頭、前足、後足を突出しかつ甲羅、頭、前足を後足に対して起立した状態に変化するものである。これにより、この実施形態にかかる変形玩具は、亀の付した状態から亀の起立した状態への変化が富んでいて、面白みが満ちている。
【００８４】
この実施形態のスイッチ機構、変形玩具は、１個の補助制動部１１により、２個の物（頭部７、左右の前足部９）の２つの動作（移動、回動）を同時に制動するものであるから、構造が簡単である。しかも、この実施形態のスイッチ機構、変形玩具は、補助制動部１１が甲羅部４の内面と頭部７の外面および左右の前足部９の外面とから構成されているものであるから、構造がさらに簡単である。
【００８５】
この実施形態にかかる変形玩具は、頭部７を第１位置から第２位置に付勢させる第１補助弾性部８と、左右の前足部９を第１位置から第２位置に付勢させる第２補助弾性部１０と、を備えるものである。このために、この実施形態にかかる変形玩具は、第１補助弾性部８と第２補助弾性部１０とにより、頭部７の移動と左右の前足部９の回動とを確実に行うことができる。
【００８６】
この実施形態のスイッチ機構、変形玩具は、スイッチ部と兼用する第２可動部としての甲羅部４に作動爪３０を、甲羅部４が第１位置に位置するとき、載置面１２に対して平行もしくはほぼ平行となるように、設けたものである。このために、この実施形態のスイッチ機構、変形玩具は、甲羅部４の作動爪３０を介して、載置面１２に対して平行もしくはほぼ平行な駒１００と作動爪３０との衝突力を、載置面１２に対して垂直もしくはほぼ垂直な第２軸Ｏ２回りの甲羅部４の回動力に、確実に変換することができる。
これにより、この実施形態のスイッチ機構、変形玩具は、制動部６の制動あるいは制動部６および補助制動部１１の制動を確実に解除することができ、変形玩具の変形、すなわち、亀の付した状態から起立した状態への変化を確実に得ることができる。
【００８７】
この実施形態のスイッチ機構、変形玩具は、作動爪３０が一方の緩やかな傾斜面３１と他方の急な傾斜面３２とからなり、その傾斜面３１、３２が曲面をなすものである。このために、この実施形態のスイッチ機構、変形玩具は、作動爪３０の傾斜面３１、３２が、駒１００の衝突力を、甲羅部４の第２軸Ｏ２回りの回動力に、変換して、駒１００から甲羅部４に確実に伝達することができる。
【００８８】
この実施形態のスイッチ機構、変形玩具は、作動爪３０の個数や位置また作動爪３０の傾斜面３１、３２の曲面などを変えることにより、駒１００と作動爪３０の傾斜面３１、３２とが相互に当たる難易度を変えることができる。
これにより、この実施形態のスイッチ機構、変形玩具は、駒１００と甲羅部４とがただ単に相互に当たっても、駒１００と作動爪３０の傾斜面３１、３２とが相互に当たらなければ、亀が伏した状態から起立した状態に変化しない場合があり得る。この結果、この実施形態のスイッチ機構、変形玩具は、亀が伏した状態から起立した状態に変化した回数あるいは変化しない回数の多少を争うゲームとしても面白く楽しむことができる。
【００８９】
この実施形態のスイッチ機構、変形玩具は、甲羅部４に傾倒防止部３３を設けて、亀が伏した状態から起立した状態に変化したとき、傾倒防止部３３が載置面１２に載置するものである。この結果、この実施形態のスイッチ機構、変形玩具は、亀が伏した状態から起立した状態に変化したときの勢い、また、亀の重心の後側への移行により、起立した状態の亀が後方に傾倒するのを、傾倒防止部３３で防ぐことができる。
【００９０】
（実施形態以外の例の説明）
この実施形態においては、亀を模した変形玩具について説明するものである。ところが、この発明においては、亀以外の動物、あるいは、人形やキャラクタ、自動車等の乗り物、ロボット、ロケットなどを模した変形玩具であっても良い。
【符号の説明】
【００９１】
１  載置部（後足部）
２  第１可動部（胴部）
３  第１弾性部
４  スイッチ部と兼用の第２可動部（甲羅部）
５  第２弾性部
６  制動部
７  第１補助可動部（頭部）
８  第１補助弾性部
９  第２補助可動部（前足部）
１０  第２補助弾性部
１１  補助制動部
１２  載置面
１３  腰部
１４  脚部
１５  腹部
１６  背部
１７  スクリュー
１８  第１軸部材
１９  円形孔
２０  収納部
２１  開口部
２２  軸受部
２３  取付軸部
２４  第２軸部材
２５  凹部
２６  透孔
２７  スクリュー
２８  ガイド
２９  孔
３０  作動爪
３１  緩やかな傾斜面
３２  急な傾斜面
３３  傾倒防止部
３４  第１凸部
３５  第２凸部
３６  顔部
３７  後頭部
３８  スクリュー
３９  開口部
４０  ガイドレール
４１  ガイド凸部
４２  ガイドレール
４３  ガイド凸部
４４  第１当接部
４５  第２当接部
４６  保持軸部
４７  保持凸部
４８  軸部
４９  腕部
５０  ピン
５１  ストッパ凸部
５２  ストッパ受部
５３  ストッパ面
５４  ストッパ板部
５５  ストッパ当面
５６  ストッパ受面
１００  駒
Ｆ  前
Ｂ  後
Ｕ  上
Ｄ  下
Ｌ  左
Ｒ  右
Ｏ１  第１軸
Ｏ２  第２軸
Ｏ３  第３軸
Ｏ４  第４軸
【図１】
2017221304.tif 000003
【図２】
2017221304.tif 000004
【図３】
2017221304.tif 000005
【図４】
2017221304.tif 000006
【図５】
2017221304.tif 000007
【図６】
2017221304.tif 000008